(57)【要約】本発明は、サイドボタンを具備したポンピング式化粧品容器に関し、ユーザーがボタン部を加圧する時に、ボタン部自体の弾性力によってボタン部が弾性変形することにより、ポンピング作動が行われ、内容物を吐出するように構成されることで、別途のポンピング部材が存在しなくても簡単な構造を介して、内容物を容易に吐出することができるので、組立時間の短縮はもちろん、製造コストを節減することができる。【選択図】図３
2019510546.tif 000002
【特許請求の範囲】
【請求項１】
内容物を貯蔵し、貯蔵した内容物を排出する排出部を具備する容器本体と、
前記排出部を包んで前記排出部に結合し、前記容器本体に貯蔵した内容物が移動する内容物移動ホールが形成された支持体と、
前記支持体に結合して、内容物が移動する通路が形成され、前記容器本体に直交する、前記容器本体の側面に向かって位置するシリンダー本体と、前記シリンダー本体の下部から延設され、前記容器本体に貯蔵した内容物を前記シリンダー本体の内部に流入する内容物流入ホールが形成された内容物流入管と、前記シリンダー本体の上部から延設され、前記シリンダー本体の内部に流入した内容物を流出するように内容物流出ホールが形成された内容物流出管と、を含むシリンダー部と、
前記シリンダー本体に結合して、ユーザーの加圧可否によって、シリンダー本体の内部圧力を変化させるボタン部と、
前記シリンダー部の内側で前記支持体の上端に停止し、前記ボタン部の加圧可否によって昇降し、前記内容物移動ホール及び、前記内容物流出ホールを選択的に開閉する弾性バルブ体と、
前記シリンダー部を収容し、上端には、ユーザーの肌に内容物を塗布するアプリケーターが係止され、側面には、前記ボタン部が外部に露出されるように挿入ホールが形成されたシリンダーハウジングと、
を含むことを特徴とするサイドボタンを具備したポンピング式化粧品容器。
【請求項２】
内容物を貯蔵し、貯蔵した内容物を排出する排出部を具備する容器本体と、
前記排出部を包んで前記排出部に結合し、前記容器本体に貯蔵した内容物が移動する内容物移動ホールが形成された支持体と、
前記支持体に結合して、内容物が移動する通路が形成され、前記容器本体に直交する、前記容器本体の側面に向かって位置するシリンダー本体と、前記シリンダー本体の下部から延設され、前記容器本体に貯蔵した内容物を、前記シリンダー本体の内部に流入するように内容物流入ホールが形成された内容物流入管と、前記シリンダー本体の上部から延設され、前記シリンダー本体の内部に流入した内容物を流出する内容物流出ホールが形成された内容物流出管と、を含むシリンダー部と、
前記シリンダー本体に結合して、ユーザーの加圧可否によって、シリンダー本体の内部圧力を変化させるボタン部と、
前記シリンダー部の内側で、前記支持体の上端に停止し、前記ボタン部の加圧可否によって昇降し、前記内容物移動ホール及び、前記内容物流出ホールを選択的に開閉する弾性バルブ体と、
前記シリンダー部を収容し、上端には、内容物を吐出するノズル部を具備し、側面には、前記ボタン部が外部に露出されるように挿入ホールが形成されたシリンダーハウジングと、
を含むことを特徴とするサイドボタンを具備したポンピング式化粧品容器。
【請求項３】
前記弾性バルブ体は、
弾性材質で構成され、
前記支持体の上端に停止し、前記ボタン部の加圧可否によって、前記内容物移動ホールを開栓する開閉板と、
前記開閉板の中央部から上方に延設され、前記ボタン部の加圧可否によって、前記内容物流出ホールを開閉する開閉棒と、
を含むことを特徴とする請求項１または２に記載のサイドボタンを具備したポンピング式化粧品容器。
【請求項４】
前記支持体の上端には、前記内容物移動ホールを包んで上部に突出し形成され、前記弾性バルブ体の開閉板が停止するバルブ停止部を具備する
ことを特徴とする請求項３に記載のサイドボタンを具備したポンピング式化粧品容器。
【請求項５】
前記ボタン部の加圧の時には、前記シリンダー部に流入した内容物の圧力により、前記開閉板が下方向に加圧され、前記バルブ停止部の上面に密着して前記内容物移動ホールの閉栓状態が維持され、前記内容物の圧力によって、前記開閉板の中央部が下方向に弾性変形することによって、前記開閉棒が下降して、前記内容物流出ホールの開栓が行われる
ことを特徴とする請求項４に記載のサイドボタンを具備したポンピング式化粧品容器。
【請求項６】
前記ボタン部の加圧解除の時には、前記シリンダー部の圧力変化によって弾性変形した前記開閉板の中央部が復元されることにより、前記開閉棒が上昇して、前記内容物流出ホールの閉栓が行われ、前記開閉板が前記バルブ停止部の上面から離間され、前記内容物移動ホールの開栓が行われる
ことを特徴とする請求項５に記載のサイドボタンを具備したポンピング式化粧品容器。
【請求項７】
前記ボタン部は、
前記シリンダー本体に結合する結合部と、
前記結合部の先端に位置して、ユーザーの加圧により、形状が変化する弾性材質の加圧部と、
を備えることを特徴とする請求項１または２に記載のサイドボタンを具備したポンピング式化粧品容器。
【請求項８】
前記ボタン部の結合部を包んで、前記シリンダー本体に結合して、前記ボタン部の脱離を防止する離脱防止キャップをさらに含む
ことを特徴とする請求項７に記載のサイドボタンを具備したポンピング式化粧品容器。
【請求項９】
前記シリンダー本体には、前記ボタン部及び、前記離脱防止キャップがそれぞれ固定し設置されるように、前記ボタン部の結合部が結合する結合溝及び、前記離脱防止キャップを固定する固定突起が形成される
ことを特徴とする請求項８に記載のサイドボタンを具備したポンピング式化粧品容器。
【請求項１０】
前記ボタン部は、
ボタン本体と、
前記シリンダー本体に結合するピストンハウジングと、
前記ピストンハウジングの内側で当該ピストンハウジングの内壁に密着した状態で位置して、前記ボタン本体の加圧可否によって移動するピストンと、
前記ボタン本体の内側に結合して前記ピストンを支持し、前記ボタン本体の加圧可否によって前記ピストンを移動させるピストンロッドと、
前記ピストンロッドとピストンハウジングの間に位置して、前記ボタン本体を復元させるスプリングと、
を備えることを特徴とする請求項１または２に記載のサイドボタンを具備したポンピング式化粧品容器。
【請求項１１】
前記支持体の上面には、前記シリンダー部の組立の時に方向性を提供し、前記シリンダー部を固定するように、お互いに違う形状で構成された一対の突出部が突出し形成され、前記内容物流入管の外周面には、前記一対の突出部にそれぞれ対応する結合突起を具備する
ことを特徴とする請求項１または２に記載のサイドボタンを具備したポンピング式化粧品容器。
【発明の詳細な説明】
【技術分野】
【０００１】
本発明は、サイドボタンを具備したポンピング式化粧品容器に関し、より詳細には、ユーザーがボタン部を加圧する時に、ボタン部自体の弾性力によってボタン部が弾性変形することにより、ポンピング動作が行われ、内容物を吐出するように構成されることで、別途のポンピング部材が存在しなくても、簡単な構造を介して内容物を容易に吐出することができるので、組立時間の短縮はもちろん、製造コストを節減することができるサイドボタンを具備したポンピング式化粧品容器に関する。
【背景技術】
【０００２】
一般的にポンピング式化粧品容器は、ポンピング部材のポンピング作用によって内容物を外部に排出するように構成されるものとして、内容物を貯蔵する容器本体と、前記容器本体の上部に結合して、ポンピング作用によって容器本体に貯蔵した内容物を上部に移動させるポンピング部材と、前記ポンピング部材の上部に結合して、ユーザーの加圧によってポンピング部材に圧力を伝達し、一側に内容物の排出のための内容物排出ホールが形成されるボタン部で構成される。
【０００３】
前記のような構成のポンピング式化粧品容器は、ユーザーがボタン部を加圧すると、圧力によってポンピング部材を構成するシリンダー内部に圧力の変化が発生し、圧力変化によって容器本体内部に貯蔵した内容物が一定量ずつ内容物排出ホールを通って排出するように構成され、従来のポンピング式化粧品容器は、内容物を貯蔵する容器本体の直上方にポンピング部材及び、ボタン部が位置して、ボタン部の昇降によって内容物を排出するように構成されているため、ボタン部の一側に形成された内容物排出ホールが上下に位置が変化するので、内容物をユーザー所望の部位に直接塗布することが難しい。なお、ユーザーは、手に内容物を排出した後、肌に塗布する。
【０００４】
前記のような問題を解消するために、最近では、上部にはアプリケーターを具備し、側面にはボタン部を形成してサイドボタン部を操作する時に、アプリケーターを介して内容物を吐出して使用できる、サイドボタンを具備したポンピング式化粧品容器の開発が活発に行われている。
【０００５】
前記のようなサイドボタンを具備したポンピング式化粧品容器が特許文献１に開示されている。
【０００６】
特許文献１に記載の化粧品容器は、内容物を貯蔵する容器本体と、
前記容器本体の上部に位置して内容物が移動する通路が形成され、容器本体に直交する、容器本体の側面に向かって位置するシリンダー本体と、前記シリンダー本体の下部から延設され、前記容器本体に貯蔵した内容物が、前記シリンダー本体の内部に流入する内容物流入ホールが形成された内容物流入管と、前記シリンダー本体の上部から延設され、前記シリンダー本体の内部に流入した内容物が流出する内容物流出ホールが形成された内容物流出管を含むシリンダー部と、
前記シリンダー本体の内部に挿入されてポンピング作用によって、シリンダー本体内部の圧力を変化させて内容物を排出するポンピング部材と、
前記ポンピング部材に結合して押し動作によってポンピング部材で圧力を伝達するボタン部と、
前記内容物流出ホールを通って流出する内容物を外部に排出して、ユーザーの肌に塗布することができるように内容物排出ホールが形成されたアプリケーターと、を含み、
前記ポンピング部材は、前記シリンダー本体の内部で移動するピストンロッドと、前記ピストンロッドの外周面を包んで結合して、シリンダー本体の内壁に密着した状態で移動するシールキャップと、前記ボタン部の内側に固定し設置され、ピストンロッドと結合してボタン部の押し動作による圧力をピストンロッドに伝達するステム、及び前記シリンダー本体の外部から前記ステムの外周面を包んで設置され、前記ボタン部の加圧の時に収縮され、ボタン部の加圧が解除されると弛緩され、ステムに弾性力を提供して、ボタン部を復元させるスプリングで構成され、
前記ピストンロッドは、前記ポンピング部材のポンピング作用によって内容物が内容物流出ホールに移動する過程で干渉が発生することを防止するように、前記シリンダー本体内で移動するピストンロッド先端が、前記内容物流入ホールと内容物流出ホールの全体を隠さないほどの範囲内で行程区間を構成することが特徴である。
【０００７】
しかし、前記のように構成された特許文献１に記載の化粧品容器は、容器本体に貯蔵した内容物の排出のために、ポンピング動作を実行するポンピング部材を具備するものとして、ピストンロッド、シールキャップ、ステム、スプリングなどで構成される複雑な構造のポンピング部材を介して、ポンピング動作が行われる構造なので、ポンピング部材を設置するための組立時間の増加はもちろん、容器の単価上昇をもたらし、ユーザーのコスト的な負担をもたらすという問題があった。
【先行技術文献】
【特許文献】
【０００８】
【特許文献１】大韓民国登録特許第１０−１４６４１９１号公報
【発明の概要】
【発明が解決しようとする課題】
【０００９】
本発明は、上述した問題点を解決するために創作されたものとして、本発明の目的は、ユーザーがボタン部を加圧する時に、ボタン部自体の弾性力によってボタン部が弾性変形されることによって、ポンピング動作が行われ、内容物を吐出するように構成することにより、別途のポンピング部材が存在しなくても、簡単な構造を介して内容物を容易に吐出することができるので、組立時間の短縮はもちろん、製造コストを節減できるサイドボタンを具備したポンピング式化粧品容器を提供することである。
【課題を解決するための手段】
【００１０】
前記のような問題点を解決するために、本発明に係るサイドボタンを具備したポンピング式化粧品容器は、内容物を貯蔵し、貯蔵した内容物を排出する排出部を具備した容器本体と、
前記排出部を包んで結合し、前記容器本体に貯蔵した内容物が移動する内容物移動ホールが形成された支持体と、
前記支持体に結合して内容物が移動する通路が形成され、前記容器本体に直交する、容器本体の側面に向かって位置するシリンダー本体と、前記シリンダー本体の下部から延設され、前記容器本体に貯蔵した内容物を、前記シリンダー本体の内部に流入する内容物流入ホールが形成された内容物流入管と、前記シリンダー本体の上部から延設され、前記シリンダー本体の内部に流入した内容物を流出する内容物流出ホールが形成された内容物流出管と、を含むシリンダー部と、
前記シリンダー本体に結合し、ユーザーの加圧可否によって、シリンダー本体の内部圧力を変化させるボタン部と、
前記シリンダー部の内側で、前記支持体の上端に停止し、前記ボタン部の加圧可否によって昇降し、前記内容物移動ホール及び、前記内容物流出ホールを選択的に開閉する弾性バルブ体と、
前記シリンダー部を収容し、その上端にはユーザーの肌に内容物を塗布するアプリケーターが係止され、その側面には、前記ボタン部が外部に露出されるように挿入ホールが形成されたシリンダーハウジングと、を含むことを特徴とする。
【００１１】
また、内容物を貯蔵し、貯蔵した内容物を排出する排出部を具備した容器本体と、
前記排出部を包んで結合し、前記容器本体に貯蔵した内容物が移動する内容物移動ホールが形成された支持体と、
前記支持体に結合し、内容物が移動する通路を形成し、前記容器本体に直交する、容器本体の側面に向かって位置するシリンダー本体と、前記シリンダー本体の下部から延設され、前記容器本体に貯蔵した内容物を前記シリンダー本体の内部に流入する内容物流入ホールが形成された内容物流入管と、前記シリンダー本体の上部から延設され、前記シリンダー本体の内部に流入した内容物を流出する内容物流出ホールが形成された内容物流出管と、を含むシリンダー部と、
前記シリンダー本体に結合し、ユーザーの加圧可否によって、シリンダー本体の内部圧力を変化させるボタン部と、
前記シリンダー部の内側で、前記支持体の上端に停止し、前記ボタン部の加圧可否によって昇降し、前記内容物移動ホール及び、前記内容物流出ホールを選択的に開閉する弾性バルブ体と、
前記シリンダー部を収容し、その上端には内容物を吐出するノズル部を具備し、側面には、前記ボタン部が外部に露出されるように挿入ホールが形成されたシリンダーハウジングと、を含むことを特徴とする。
【００１２】
また、前記弾性バルブ体は、弾性材質で構成され、前記支持体の上端に停止して、前記ボタン部の加圧可否によって、前記内容物移動ホールを開閉する開閉板と、前記開閉板の中央部から上方に延設され、前記ボタン部の加圧可否によって、前記内容物流出ホールを開閉する開閉棒と、を含むことを特徴とする。
【００１３】
また、前記支持体の上端には、前記内容物移動ホールを包んで上部に突出し形成され、前記弾性バルブ体の開閉板が停止されるバルブ停止部を具備することを特徴とする。
【００１４】
また、前記ボタン部の加圧の時には、前記シリンダー部に流入した内容物の圧力によって、前記開閉板が下方向に加圧され、前記バルブ停止部の上面に密着して前記内容物移動ホールの閉栓状態が維持され、前記内容物の圧力により前記開閉板の中央部が下方向に弾性変形されることによって、前記開閉棒が下降して前記内容物流出ホールの開栓が行われることを特徴とする。
【００１５】
また、前記ボタン部の加圧解除の時には、前記シリンダー部の圧力変化によって弾性変形した前記開閉板の中央部が復元されることによって、前記開閉棒が上昇して、前記内容物流出ホールの閉栓が行われ、前記開閉板が前記バルブ停止部の上面から離間され、前記内容物移動ホールの開栓が行われることを特徴とする。
【００１６】
また、前記ボタン部は、前記シリンダー本体に結合する結合部及び、前記結合部の先端に位置して、ユーザーの加圧により、形状が変化する弾性材質の加圧部で構成されることを特徴とする。
【００１７】
また、前記ボタン部の結合部を包んで、前記シリンダー本体に結合して、前記ボタン部の脱離を防止する離脱防止キャップをさらに含むことを特徴とする。
【００１８】
また、前記シリンダー本体には、前記ボタン部及び、前記離脱防止キャップがそれぞれ固定し設置されるように、前記ボタン部の結合部が結合する結合溝及び、前記離脱防止キャップを固定する固定突起が形成されることを特徴とする。
【００１９】
また、前記ボタン部は、ボタン本体と、前記シリンダー本体に結合するピストンハウジングと、前記ピストンハウジングの内側で当該ピストンハウジングの内壁に密着した状態で位置して、前記ボタン本体の加圧可否によって移動するピストンと、前記ボタン本体の内側に結合して前記ピストンを支持し、前記ボタン本体の加圧可否によって、前記ピストンを移動させるピストンロッドと、前記ピストンロッドと前記ピストンハウジングとの間に位置して、前記ボタン本体を復元させるスプリングで構成されることを特徴とする。
【００２０】
また、前記支持体の上面には、前記シリンダー部の組立の時に方向性を提供し、シリンダー部を固定するように、お互いに違う形状で構成された一対の突出部が突出し形成され、前記内容物流入管の外周面には、前記一対の突出部にそれぞれ対応する結合突起を具備することを特徴とする。
【発明の効果】
【００２１】
以上のように、本発明によれば、ユーザーがボタン部を加圧する時に、ボタン部自体の弾性力によって、ボタン部が弾性変形することによりポンピング動作が行われ、内容物を吐出するように構成されることで、別途のポンピング部材が存在しなくても簡単な構造を介して、内容物を容易に吐出することができるという長所がある。
【００２２】
また、ボタン部の加圧可否によって、シリンダー部の内側で昇降し、内容物の移動ホール及び、内容物流出ホールを選択的に開閉する簡単な弾性バルブ体の構造により組立時間の短縮による生産性を向上させることができるという長所がある。
【図面の簡単な説明】
【００２３】
【図１】本発明の第１実施例に係るサイドボタンを具備したポンピング式化粧品容器の構成を示す分解斜視図である。
【図２】本発明の第１実施例に係るサイドボタンを具備したポンピング式化粧品容器の構成を示す組立斜視図である。
【図３】本発明の第１実施例に係るサイドボタンを具備したポンピング式化粧品容器の構成を示す組立断面図である。
【図４】本発明の第１実施例に係るサイドボタンを具備したポンピング式化粧品容器の支持体とシリンダー部の組立構造を示す説明図である。
【図５】本発明の第１実施例に係るサイドボタンを具備したポンピング式化粧品容器の作動状態を示す状態図である。
【図６】本発明の第１実施例に係るサイドボタンを具備したポンピング式化粧品容器の作動状態を示す状態図である。
【図７】本発明の第２実施例に係るサイドボタンを具備したポンピング式化粧品容器の構成を示す組立断面図である。
【図８】本発明の第３実施例に係るサイドボタンを具備したポンピング式化粧品容器の構成を示す組立断面図である。
【発明を実施するための形態】
【００２４】
以下、図面を参照して本発明を詳細に説明する。各図面に提示された同一の参照符号は、同一の部材を示す。
【００２５】
図１は、本発明の第１実施例に係るサイドボタンを具備したポンピング式化粧品容器の構成を示す分解斜視図であり、図２は本発明の第１実施例に係るサイドボタンを具備したポンピング式化粧品容器の構成を示す組立斜視図である。
【００２６】
図３は、本発明の第１実施例に係るサイドボタンを具備したポンピング式化粧品容器の構成を示す組立断面図であり、図４は本発明の第１実施例に係るサイドボタンを具備したポンピング式化粧品容器の支持体とシリンダー部の組立構造を示す説明図である。
【００２７】
図１〜４を参照すると、本発明の第１実施例に係るサイドボタンを具備したポンピング式化粧品容器は、容器本体１００と、支持体２００、シリンダー部３００、ボタン部４００、弾性バルブ体５００、シリンダーハウジング６００を含む。
【００２８】
容器本体１００は、内容物を貯蔵するものとして、上部には貯蔵した内容物を排出する排出部１１０を具備し、排出部１１０の上端には支持体２００の下端に結合して、排出部１１０と支持体２００との間の空間を介して内容物の漏液が発生することを防止できるようにシーリング部材（Ｓ）を設置することが好ましい。
【００２９】
支持体２００は、排出部１１０の上部を包んで排出部１１０に結合するものとして、ボタン部４００の操作を介したポンピング動作の時に、容器本体１００に貯蔵した内容物がシリンダー部３００の内部に移動する内容物移動ホール２１０が形成され、内容物移動ホール２１０の下部には、容器本体１００に貯蔵した内容物を吸入する内容物吸入管２１１を具備することが好ましい。
【００３０】
また、支持体２００の上端には、内容物移動ホール２１０を包んで上部に突出し形成され、弾性バルブ体５００の開閉板５１０が停止するバルブ停止部２２０を具備することを特徴としており、バルブ停止部２２０は、上部に突出する円筒形状で構成される。これにより、内容物の圧力によって開閉板５１０の中央部が下方向に弾性変形できる空間を形成する。
【００３１】
一方、支持体２００の上面には、シリンダー部３００を固定する一対の突出部２３０を具備し、突出部２３０は、シリンダー本体３１０が挿入ホール６２０に向けてのみ組立ができるように、シリンダー部３００の組立の時に方向性を提供することが特徴である。
【００３２】
突出部２３０は、図４に示すように、一対の突出部２３０がそれぞれお互いに違う形状に構成されて、シリンダー部３００の結合突起３２２と結合する時に、一方向にのみ組立ができるように構成される。このとき、シリンダー部３００の結合突起３２２も一対の突出部２３０にそれぞれ対応する形状で構成される。
【００３３】
シリンダー部３００は、支持体２００の上部に結合し、内容物が移動する通路を形成するものとして、シリンダー本体３１０、内容物流入管３２０、内容物流出管３３０を含む。
【００３４】
シリンダー本体３１０は、後述する弾性バルブ体５００が作動する空間を形成するものとして、本発明において、シリンダー本体３１０は、容器本体１００に直交する、容器本体１００の側面に向かって位置することが特徴である。
【００３５】
シリンダー本体３１０は、容器本体１００に直交する、容器本体１００の側面に向かって位置することにより、ボタン部４００が容器本体の直上方ではなく、側面に設置されることができるようにし、シリンダー本体３１０の側面にボタン部４００が結合することができるように結合溝３１１が形成される。
【００３６】
また、シリンダー本体３１０には、ボタン部４００がシリンダー本体３１０から離脱することを防止する離脱防止キャップ８００を結合し、離脱防止キャップ８００は、ボタン部４００の結合部４１０を包んで、シリンダー本体３１０の固定突起３１２に結合してボタン部４００の脱離を防止する。
【００３７】
内容物流入管３２０は、シリンダー本体３１０の下部から延設されて、容器本体１００の上部を閉栓する支持体２００と結合するものとして、ボタン部４００の操作によるポンピング動作によって、弾性バルブ体５００が内容物移動ホール２１０を開栓する時に内容物移動ホール２１０を介して、移動する内容物がシリンダー本体３１０の内部に流入することができるように内容物流入ホール３２１が形成される。
【００３８】
また、内容物流入管３２０の外周面には、支持体２００の一対の突出部２３０にそれぞれ対応する結合突起３２２を具備する。
【００３９】
また、内容物流入管３２０の内側には、弾性バルブ体５００の開閉板５１０が上昇する時に、上昇を制限することができるように段係止部３２３が形成される。
【００４０】
内容物流出管３３０は、シリンダー本体３１０の上部から延設されて、シリンダー本体３１０の内部に流入した内容物を外部に流出するものとして、シリンダー本体３１０の内部に流入した内容物がアプリケーター（６００）に移動することができるように吐出口７１０と連通する内容物流出ホール３３１が形成される。
【００４１】
ボタン部４００は、シリンダー部３００のシリンダー本体３１０に結合して、容器本体１００に直交する、容器本体１００の側面に向かって設置するものとして、ユーザーの加圧可否によって、弾性変形され、シリンダー部３００内部の圧力を変化させ、シリンダー部３００に流入した内容物を外部に排出するように構成される。本発明において、ボタン部４００は、シリンダー本体３１０の結合溝３１１に結合する結合部４１０と、結合部４１０の先端に位置し、ユーザーの加圧可否によって、形状が変化する弾性材質の加圧部４２０と、で構成されることが特徴である。
【００４２】
加圧部４２０は、ユーザーが加圧部４２０を加圧する時に、加圧部４２０全体が前進移動し、ユーザーが加圧を解除した時に復元され、シリンダー部３００内部の圧力を変化させ、ポンピング動作を誘導することにより、シリンダー部３００に流入した内容物を外部に排出する役割を遂行する。
【００４３】
本発明では、ボタン部４００が、弾性材質で構成されて、加圧部４２０の弾性変形によりシリンダー部３００内部の圧力を変化させることで説明したが、図８に示すように、シリンダー本体３１０にピストンハウジング４６０を結合し、ピストンハウジング４６０の内側にボタン本体４７０の加圧可否によって、ピストンハウジング４６０の内壁に密着した状態で移動するピストン４４０を設置して、シリンダー部３００内部の圧力を変化させることもできる。この場合に、ボタン本体４７０の内側には、ピストン４４０を支持するピストンロッド４３０を結合し、ピストンロッド４３０とピストンハウジング４６０との間には、ボタン本体４７０の復元のためのスプリング４５０が設置される。
【００４４】
前記のように、ボタン部４００がピストンロッド４３０、ピストン４４０、スプリング４５０、ピストンハウジング４６０、ボタン本体４７０で構成される場合に、離脱防止キャップ８００は、ピストンハウジング４６０を包んで結合して、ボタン部４００の脱離を防止するように構成されることが好ましい。
【００４５】
弾性バルブ体５００は、シリンダー部３００の内側に位置して、ボタン部４００の加圧可否によって昇降し、内容物移動ホール２１０及び、内容物流出ホール３３１を選択的に開閉するものとして、支持体２２０のバルブ停止部２２０に停止し、ボタン部４００の加圧可否によって、内容物移動ホール２１０を開閉する開閉板５１０と、開閉板５１０の中央部から上方に延設され、ボタン部４００の加圧可否によって内容物流出ホール３３１を開閉する開閉棒５２０と、で構成される。
【００４６】
弾性バルブ体５００は、ボタン部４００の加圧の時に、シリンダー部３００に流入した内容物の圧力によって下方向に加圧するように構成される。これにより、開閉板５１０がバルブ停止部２２０の上端に密着して内容物移動ホール２１０の閉栓状態が維持され、開閉板５１０の中央部が下方向に弾性変形が行われることにより、開閉棒５２０が下降して、内容物流出ホール３３１の開栓が行われる。
【００４７】
また、弾性バルブ体５００は、ボタン部４００の加圧解除の時に、シリンダー部３００の圧力変化によって、弾性変形した開閉板５１０の中央部が復元されることにより、開閉棒５２０が上昇して内容物流出ホール３３１を閉栓するように構成される。これと共に開閉板５１０が、バルブ停止部２２０の上面から離間され、内容物移動ホール２１０の開栓が行われる。
【００４８】
開閉板５１０は、ボタン部４００の加圧可否によって弾性変形することができるように弾性材質で構成される。
【００４９】
シリンダーハウジング６００は、容器本体１００の上部に結合してアプリケーター（ａ）を支持するものとして、その上部にアプリケーター（ａ）が係止する係止溝６１０が形成され、側面にはボタン部４００を挿入して外部に露出されるように挿入ホール６２０が形成され、アプリケーター（ａ）はその用途によって、ユーザーの肌に内容物を効率的に塗布することができるようにローラー、ブラシ、スポンジなど多様に構成することができる。
【００５０】
一方、係止溝６１０には、アプリケーター（ａ）を支持する固定体７００が挿入され、固定体７００の中央部には、内容物流出管３３０を介して、流出する内容物がアプリケーター（ａ）に移動することができるように内容物流出管３３０と連通する吐出口７１０が形成される。
【００５１】
また、シリンダーハウジング６００の中央部には、内容物流出管３３０を介して、流出する内容物が吐出口７１０に移動することができるように、内容物流出管３３０が貫通する中空が形成される。
【００５２】
一方、図７に示すように、本発明の他実施例に係るシリンダーハウジング６００は、内容物を直接吐出して使用できるように、上端部にノズル部６３０を具備することもできる。
【００５３】
本発明のシリンダーハウジング６００には、アプリケーター（ａ）の汚染及び、破損を防止し、ノズル部６３０に異物が流入することを防止するようにオーバーキャップ９００が着脱可能に結合する。
【００５４】
以下では、図５及び図６を参照して、本発明の第１実施例に係るサイドボタンを具備したポンピング式化粧品容器の作動過程を説明する。図５及び図６は本発明の第１実施例に係るサイドボタンを具備したポンピング式化粧品容器の作動状態を示す状態図である。
【００５５】
図５及び図６を参照すると、ユーザーが加圧部４２０を加圧すると、弾性材質で構成される加圧部４２０の弾性変形が行われ、加圧部４２０が前進移動する。これにより、シリンダー部３００の圧力が変化し、ポンピング動作が行われる。
【００５６】
前記のようにポンピング動作が行われると、シリンダー本体３１０に流入した内容物の圧力によって開閉板５１０が下方向に加圧される。これにより、開閉板５１０がバルブ停止部２２０の上端に密着して内容物移動ホール２１０の閉栓状態が維持され、開閉板５１０の中央部が下方向に弾性変形が行われることにより、開閉棒５２０が下降して内容物流出ホール３３１の開栓が行われる。
【００５７】
前記のように、内容物流出ホール３３１が開栓されると、シリンダー本体３１０に流入した内容物が内容物流出ホール３３１を通過した後、吐出口７１０を経て、アプリケーター（ａ）に移動し、アプリケータ（ａ）を介して内容物を肌に塗布することができる。
【００５８】
一方、加圧部４２０の加圧が解除されると、加圧部４２０自体の弾性力によって前進移動していた加圧部４２０が復元される。これにより、シリンダー部３００の内部に吸入力が発生し、弾性変形した開閉板５１０の中央部が復元されることによって、開閉棒５２０が上昇して、内容物流出ホール３３１を閉栓させ、これと共に開閉板５１０がバルブ停止部２２０の上面から離間され、内容物移動ホール２１０の開栓が行われ、容器本体１００に貯蔵した内容物が内容物流入ホール２１０を通ってシリンダー部３００の内部に流入する。
【００５９】
本発明は、前述したように、ボタン部４００自体の弾性力によって、加圧部４２０が弾性変形することにより、ポンピング動作が行われるように構成され、ボタン部４００の加圧可否によってシリンダー部３００の内側で昇降し、内容物移動ホール２１０及び、内容物流出ホール３３１を選択的に開閉する簡単な弾性バルブ体５００構造を介して、組立時間の短縮による生産性を向上させることができる。
【００６０】
図面と明細書で最適の実施例を開示した。ここで特定の用語を用いたが、これは単に本発明を説明するための目的で用いたものであり、意味の限定や特許請求の範囲に記載された本発明の範囲を制限するために用いたものではない。従って、当該技術分野の通常の知識を有する者であれば、多様な変形および均等な他の実施例が可能であることを理解すべきである。また、本発明の真の技術的保護範囲は、添付された特許請求の範囲の技術的思想によって定められる。
【図１】
2019510546.tif 000003
【図２】
2019510546.tif 000004
【図３】
2019510546.tif 000005
【図４】
2019510546.tif 000006
【図５】
2019510546.tif 000007
【図６】
2019510546.tif 000008
【図７】
2019510546.tif 000009
【図８】
2019510546.tif 000010
【国際調査報告】
2019510546.tif 000011
2019510546.tif 000012
2019510546.tif 000013
2019510546.tif 000014